(57)【特許請求の範囲】
【請求項１】
表側の表面に配管溝が形成された断熱マットと、前記配管溝の上方域を覆う態様で前記断熱マットの表面に貼設される熱拡散用の放熱シートと、前記配管溝に嵌入され且つ放熱用通水管を挿通させるＵ字状部分の両端から外向きに屈曲して前記断熱マットの前記表面と前記放熱シートの裏面の間に介在される一対の鍔部を備えた伝熱部材とを備えた床暖房マットと、
ガスバーナの燃焼排気から顕熱と潜熱を回収する被加熱用通水管を備え、且つ前記ガスバーナの燃焼量を変化させることで前記被加熱用通水管から流出する温水の温度たる出湯温度を制御する潜熱回収型の熱源機と、
前記熱源機に於ける被加熱用通水管の両端と前記床暖房マットに於ける放熱用通水管の両端を各別に接続して温水循環路を形成する接続配管と、
前記温水循環路で温水を循環させる循環ポンプとを備え、
前記燃焼排気の露点より低温の温水が前記床暖房マットから前記温水循環路を流れて前記熱源機へ帰還するように、ガスバーナの燃焼と消火とを交互に切替えると共に、前記出湯温度が目標温度に応じた所定温度範囲内となるよう所定制御周期に於けるガスバーナの燃焼時間と消火時間との比を変更する制御手段が設けられた床暖房システムであって、
前記熱源機は、
異なる燃焼面を形成する複数のバーナユニットからなる前記ガスバーナと、
前記各バーナユニットへの燃料ガスの供給／遮断を個別に切替えるバーナユニット切替手段と、
前記各バーナユニットに燃焼用空気を一括して供給するファンと、
前記ガスバーナへの燃料ガスの総供給量を調整自在なガス量調整手段と、
前記ガスバーナにより加熱される熱交換器と、
前記温水循環路で温水を循環させる前記循環ポンプと、
前記熱交換器から前記床暖房マットに供給される温水の温度を検出する温度センサと、
前記温度センサの検出温度が目標温度となるように、前記バーナユニット切替手段により燃料ガスを供給する前記バーナユニットを変更して、前記ガスバーナの燃焼面において実際に燃焼を生じさせる範囲である有効燃焼範囲を複数段階に切替える「有効燃焼範囲切替処理」と、前記ガス量調整手段により前記ガスバーナへの燃料ガスの総供給量を調整する「ガス供給量調整処理」とを実行する出湯温度制御手段と、
前記有効燃焼範囲の各段階で前記ガスバーナへの燃料ガスの供給／遮断を切替自在なガス供給遮断手段を備え、
前記出湯温度制御手段は、前記「有効燃焼範囲切替処理」により前記有効燃焼範囲を所定段階とし、前記「ガス供給量調整処理」により燃料ガスの総供給量を予め設定された最小値として前記ガスバーナを燃焼させたときに、前記温度センサの検知温度が目標温度よりも高くなるときには、前記ガス供給遮断手段によりガスバーナの燃焼と消火とを交互に切替えると共に、前記温度センサの検出温度が目標温度に応じた所定温度範囲内となるように所定制御周期に於けるガスバーナの燃焼時間と消火時間との比を変更する「バーナＯＮ／ＯＦＦ制御」を実行し、
前記所定制御周期に対する燃焼時間の割合を予め設定された最小の割合としても前記温度センサの検出温度が前記所定温度範囲の上限を超えるときには、前記「有効燃焼範囲切替処理」により前記有効燃焼範囲を１段階小さくする、床暖房システム。
【請求項２】
表側の表面に配管溝が形成された断熱マットと、前記配管溝の上方域を覆う態様で前記断熱マットの表面に貼設される熱拡散用の放熱シートと、前記配管溝に嵌入され且つ放熱用通水管を挿通させるＵ字状部分の両端から外向きに屈曲して前記断熱マットの前記表面と前記放熱シートの裏面の間に介在される一対の鍔部を備えた伝熱部材とを備えた床暖房マットと、
ガスバーナの燃焼排気から顕熱と潜熱を回収する被加熱用通水管を備え、且つ前記ガスバーナの燃焼量を変化させることで前記被加熱用通水管から流出する温水の温度たる出湯温度を制御する潜熱回収型の熱源機と、
前記熱源機に於ける被加熱用通水管の両端と前記床暖房マットに於ける放熱用通水管の両端を各別に接続して温水循環路を形成する接続配管と、
前記温水循環路で温水を循環させる循環ポンプとを備え、
前記燃焼排気の露点より低温の温水が前記床暖房マットから前記温水循環路を流れて前記熱源機へ帰還するように、ガスバーナの燃焼と消火とを交互に切替えると共に、前記出湯温度が目標温度に応じた所定温度範囲内となるよう所定制御周期に於けるガスバーナの燃焼時間と消火時間との比を変更する制御手段が設けられた床暖房システムであって、
前記熱源機は、
異なる燃焼面を形成する複数のバーナユニットからなる前記ガスバーナと、
前記各バーナユニットへの燃料ガスの供給／遮断を個別に切替えるバーナユニット切替手段と、
前記各バーナユニットに燃焼用空気を一括して供給するファンと、
前記ガスバーナへの燃料ガスの総供給量を調整自在なガス量調整手段と、
前記ガスバーナにより加熱される熱交換器と、
前記温水循環路で温水を循環させる前記循環ポンプと、
前記熱交換器から前記床暖房マットに供給される温水の温度を検出する温度センサと、
前記温度センサの検出温度が目標温度となるように、前記バーナユニット切替手段により燃料ガスを供給する前記バーナユニットを変更して、前記ガスバーナの燃焼面において実際に燃焼を生じさせる範囲である有効燃焼範囲を複数段階に切替える「有効燃焼範囲切替処理」と、前記ガス量調整手段により前記ガスバーナへの燃料ガスの総供給量を調整する「ガス供給量調整処理」とを実行する出湯温度制御手段と、
前記有効燃焼範囲の各段階で前記ガスバーナへの燃料ガスの供給／遮断を切替自在なガス供給遮断手段を備え、
前記出湯温度制御手段は、前記「有効燃焼範囲切替処理」により前記有効燃焼範囲を所定段階とし、前記「ガス供給量調整処理」により燃料ガスの総供給量を所定値として、前記ガス供給遮断手段によりガスバーナの燃焼と消火とを交互に切替えると共に、前記温度センサの検出温度が目標温度に応じた所定温度範囲内となるように所定制御周期に於けるガスバーナの燃焼時間と消火時間との比を変更する「バーナＯＮ／ＯＦＦ制御」を実行し、
前記「有効燃焼範囲切替処理」により前記有効燃焼範囲を第１の所定段階とし、前記「ガス供給量調整処理」により前記ガスバーナへの燃料ガスの総供給量を第１の所定値として、前記「バーナＯＮ／ＯＦＦ制御」を実行したときに、前記所定制御周期に対する燃焼時間の割合を予め設定された最大の割合としても前記温度センサの検出温度が前記所定温度範囲の下限よりも低くなるときには、前記「有効燃焼範囲切替処理」により前記有効燃焼範囲を１段階大きい第２の所定段階とし、前記「ガス供給量調整処理」により前記ガスバーナへの燃料ガスの総供給量を第２の所定値として、前記「バーナＯＮ／ＯＦＦ制御」を実行し、前記所定制御周期に対する燃焼時間の割合を予め設定された最大の割合としても前記温度センサの検出温度が前記所定温度範囲の下限よりも低くなるときには、前記「ガス供給量調整処理」により前記ガスバーナへの燃料ガスの総供給量を増加させる、床暖房システム。
【発明の詳細な説明】
【技術分野】
【０００１】
本発明は、熱効率の向上を図った床暖房システムに関するものである。
【背景技術】
【０００２】
ガスバーナからの燃焼排気を露点以下に冷却して凝縮させることで潜熱を回収できるようにした潜熱回収型の熱源機を具備する床暖房システムが特許文献１に開示されている。
このものでは、基準温度（６０℃）の温水が前記熱源機から床暖房マットに間欠的に供給される通常運転が実行されると共に、該通常運転の実行中に室温が設定温度より所定値高い上限温度になると、熱源機から低温水（４０〜４５℃）が間欠的に供給される低温水運転に切替わる。そして、低温水運転の実行中に、室温が設定温度より所定値低い下限温度まで下がると、前記通常運転に復帰する。
【０００３】
このものでは、熱源機から基準温度（６０℃）の温水が放熱マットに供給される通常運転を、低温水（４０℃〜４５℃）が供給される低温水運転に切替え、これにより、熱源機に設けられたガスバーナの燃焼排気からの潜熱回収量を増大させ、熱源機の熱効率の向上が図れる利点がある。
【特許文献１】特開２００５−１４７６３６号公報
【発明の開示】
【発明が解決しようとする課題】
【０００４】
しかしながら、上記従来のものでは、低温水運転では床暖房マットの熱出力が十分でないことから、室温が上限温度に昇温するまでは、基準温度（６０℃）の温水を熱源機から床暖房マットに供給する通常運転を実行し、その後、低温水（４０〜４５℃）を供給する低温水運転に切替える必要がある。従って、上記従来のものでは、通常運転が必要となる分だけ、熱源機での潜熱回収量が低下することから、床暖房システム全体の熱効率を十分に高くすることができないという問題があった。
【０００５】
又、前記従来の床暖房システムに使用される通常の床暖房マットでは、例えば４０℃の低温水を床暖房マットに供給しても、床暖房マットからの放熱量が少ない（熱出力が低い）ことに起因し、床暖房マットから熱源機への帰還水の温度が次第に上昇し、該帰還水の温度がガスバーナの燃焼排気の露点を超える場合がある。このことから、ガスバーナの燃焼排気から潜熱を回収する高効率の運転を継続させることができないと言う問題もあった。
【０００６】
本発明は係る点に鑑みて成されたもので、熱出力の高い床暖房マットを利用することにより、熱源機から床暖房マットに供給する温水の温度を低い温度に維持できるようにし、これにより、熱源機での潜熱回収量を増加させると共に、潜熱回収を行なう高効率の運転を継続できるようにし、床暖房システム全体の熱効率の向上を図ることを課題とする。
【課題を解決するための手段】
【０００７】
［請求項１に係る発明］
上記課題を解決する為の請求項１に係る発明の解決手段は、
『表側の表面に配管溝が形成された断熱マットと、前記配管溝の上方域を覆う態様で前記断熱マットの表面に貼設される熱拡散用の放熱シートと、前記配管溝に嵌入され且つ放熱用通水管を挿通させるＵ字状部分の両端から外向きに屈曲して前記断熱マットの前記表面と前記放熱シートの裏面の間に介在される一対の鍔部を備えた伝熱部材とを備えた床暖房マットと、
ガスバーナの燃焼排気から顕熱と潜熱を回収する被加熱用通水管を備え、且つ前記ガスバーナの燃焼量を変化させることで前記被加熱用通水管から流出する温水の温度たる出湯温度を制御する潜熱回収型の熱源機と、
前記熱源機に於ける被加熱用通水管の両端と前記床暖房マットに於ける放熱用通水管の両端を各別に接続して温水循環路を形成する接続配管と、
前記温水循環路で温水を循環させる循環ポンプとを備え、
前記燃焼排気の露点より低温の温水が前記床暖房マットから前記温水循環路を流れて前記熱源機へ帰還するように、ガスバーナの燃焼と消火とを交互に切替えると共に、前記出湯温度が目標温度に応じた所定温度範囲内となるよう所定制御周期に於けるガスバーナの燃焼時間と消火時間との比を変更する制御手段が設けられた床暖房システムであって、
前記熱源機は、
異なる燃焼面を形成する複数のバーナユニットからなる前記ガスバーナと、
前記各バーナユニットへの燃料ガスの供給／遮断を個別に切替えるバーナユニット切替手段と、
前記各バーナユニットに燃焼用空気を一括して供給するファンと、
前記ガスバーナへの燃料ガスの総供給量を調整自在なガス量調整手段と、
前記ガスバーナにより加熱される熱交換器と、
前記温水循環路で温水を循環させる前記循環ポンプと、
前記熱交換器から前記床暖房マットに供給される温水の温度を検出する温度センサと、
前記温度センサの検出温度が目標温度となるように、前記バーナユニット切替手段により燃料ガスを供給する前記バーナユニットを変更して、前記ガスバーナの燃焼面において実際に燃焼を生じさせる範囲である有効燃焼範囲を複数段階に切替える「有効燃焼範囲切替処理」と、前記ガス量調整手段により前記ガスバーナへの燃料ガスの総供給量を調整する「ガス供給量調整処理」とを実行する出湯温度制御手段と、
前記有効燃焼範囲の各段階で前記ガスバーナへの燃料ガスの供給／遮断を切替自在なガス供給遮断手段を備え、
前記出湯温度制御手段は、前記「有効燃焼範囲切替処理」により前記有効燃焼範囲を所定段階とし、前記「ガス供給量調整処理」により燃料ガスの総供給量を予め設定された最小値として前記ガスバーナを燃焼させたときに、前記温度センサの検知温度が目標温度よりも高くなるときには、前記ガス供給遮断手段によりガスバーナの燃焼と消火とを交互に切替えると共に、前記温度センサの検出温度が目標温度に応じた所定温度範囲内となるように所定制御周期に於けるガスバーナの燃焼時間と消火時間との比を変更する「バーナＯＮ／ＯＦＦ制御」を実行し、
前記所定制御周期に対する燃焼時間の割合を予め設定された最小の割合としても前記温度センサの検出温度が前記所定温度範囲の上限を超えるときには、前記「有効燃焼範囲切替処理」により前記有効燃焼範囲を１段階小さくする』ことである。
上記解決手段は次のように作用する。
床暖房マットに配設された放熱用通水管には、潜熱回収型の熱源機から循環ポンプにより温水供給される。そして、該熱源機の被加熱用通水管から流出する温水（床暖房マットへの供給温水）の温度たる出湯温度は、ガスバーナの燃焼排気の露点より低温の温水が前記床暖房マットから熱源機へ帰還するように、ガスバーナの燃焼と消火とを交互に切替えると共に、上記出湯温度が目標温度に応じた所定温度範囲内となるよう所定制御周期に於けるガスバーナの燃焼時間と消火時間との比を変更して制御される。これにより、上記出湯温度が目標温度となるようガスバーナの燃焼量を調整するときに、熱交換器に於ける熱効率を高めてガスバーナを燃焼させることができる。
【０００８】
断熱マットの表面には、伝熱部材が嵌入された配管溝の上方域を覆う態様で熱拡散用の放熱シートが貼設されていると共に、床暖房マットを構成する断熱マットの配管溝には伝熱部材のＵ字状部分が嵌入されている。そして、Ｕ字状部分の両端から外向きに屈曲する一対の鍔部は断熱マットの表面と放熱シートの裏面の間に介在されている。又、前記伝熱部材のＵ字状部分には放熱用通水管が挿入されている。
【０００９】
従って、放熱用通水管からの熱は、伝熱部材のＵ字状部分からその両端の鍔部を経て、その上に重なる熱拡散用の放熱シートに伝達され、該放熱シートから、これに重ねられる床材に熱拡散される。これにより、放熱用通水管から多くの熱を床材側に取り出すことができ、床暖房マットを高い熱出力の状態にすることができる。
【００１０】
従って、低温の温水を潜熱回収型の熱源機から供給しても、十分な暖房が行える。即ち、ガスバーナの燃焼排気の露点より低温の温水が床暖房マットから熱源機へ帰還するように、低温水を熱源機で加熱生成しても、既述従来の熱出力のものと同等の暖房が行えるのである。
【００１１】
又、床暖房マットの熱出力が高く、該床暖房マットからの放熱量が多いから、床暖房マットから熱源機への帰還水の温度を露点以下に確実に抑えることができる。これにより、ガスバーナの燃焼排気から潜熱を回収する高効率の運転を継続させることができる。
【００１２】
従って、本発明によれば、熱出力の高い床暖房マットを利用することにより、熱源機での潜熱回収量を増加させることができ、これにより、床暖房システム全体の熱効率の向上を図ることができる。
【００１３】
特に、このものでは、前記「ガス供給量調整処理」により、前記ガスバーナへのガス供給量を予め設定された最小値としても尚前記温度センサの検出温度が目標温度を超えるときに、直ちに前記「有効燃焼範囲切替処理」により１段階小さくするのではなく、前記「バーナＯＮ／ＯＦＦ制御」を行う。
【００１４】
これにより、前記ガスバーナの燃焼量を減少させるときに、前記有効燃焼範囲を極力大きくして該ガスバーナを燃焼させることができる。従って、前記温度センサの検出温度が目標温度を超えるときに、直ちに前記「有効燃焼範囲切替処理」により１段階小さくすることで一部のバーナユニットを消火するもののように、消火状態の前記バーナユニットに供給される燃焼用空気でガスバーナの燃焼排気が冷却されることがなく、熱効率が低下することがない。そのため、前記熱交換器に於ける熱効率を高めてガスバーナを燃焼させることができる。従って、床暖房システム全体の熱効率が更に向上する。又、既存の熱源機のハード構成を変更する必要がなく、出湯温度制御手段による制御内容を変更すればよいため、製造コストを抑えることができる。
【００１５】
又、上述したように、床暖房マットに供給する温水の温度を低くしても、既述従来の熱出力のものと同等の暖房が行なえるので、床暖房システム全体の熱効率が高くなる。
【００１６】
［請求項２に係る発明］
上記課題を解決する為の請求項２に係る発明の解決手段は、
『表側の表面に配管溝が形成された断熱マットと、前記配管溝の上方域を覆う態様で前記断熱マットの表面に貼設される熱拡散用の放熱シートと、前記配管溝に嵌入され且つ放熱用通水管を挿通させるＵ字状部分の両端から外向きに屈曲して前記断熱マットの前記表面と前記放熱シートの裏面の間に介在される一対の鍔部を備えた伝熱部材とを備えた床暖房マットと、
ガスバーナの燃焼排気から顕熱と潜熱を回収する被加熱用通水管を備え、且つ前記ガスバーナの燃焼量を変化させることで前記被加熱用通水管から流出する温水の温度たる出湯温度を制御する潜熱回収型の熱源機と、
前記熱源機に於ける被加熱用通水管の両端と前記床暖房マットに於ける放熱用通水管の両端を各別に接続して温水循環路を形成する接続配管と、
前記温水循環路で温水を循環させる循環ポンプとを備え、
前記燃焼排気の露点より低温の温水が前記床暖房マットから前記温水循環路を流れて前記熱源機へ帰還するように、ガスバーナの燃焼と消火とを交互に切替えると共に、前記出湯温度が目標温度に応じた所定温度範囲内となるよう所定制御周期に於けるガスバーナの燃焼時間と消火時間との比を変更する制御手段が設けられた床暖房システムであって、
前記熱源機は、
異なる燃焼面を形成する複数のバーナユニットからなる前記ガスバーナと、
前記各バーナユニットへの燃料ガスの供給／遮断を個別に切替えるバーナユニット切替手段と、
前記各バーナユニットに燃焼用空気を一括して供給するファンと、
前記ガスバーナへの燃料ガスの総供給量を調整自在なガス量調整手段と、
前記ガスバーナにより加熱される熱交換器と、
前記温水循環路で温水を循環させる前記循環ポンプと、
前記熱交換器から前記床暖房マットに供給される温水の温度を検出する温度センサと、
前記温度センサの検出温度が目標温度となるように、前記バーナユニット切替手段により燃料ガスを供給する前記バーナユニットを変更して、前記ガスバーナの燃焼面において実際に燃焼を生じさせる範囲である有効燃焼範囲を複数段階に切替える「有効燃焼範囲切替処理」と、前記ガス量調整手段により前記ガスバーナへの燃料ガスの総供給量を調整する「ガス供給量調整処理」とを実行する出湯温度制御手段と、
前記有効燃焼範囲の各段階で前記ガスバーナへの燃料ガスの供給／遮断を切替自在なガス供給遮断手段を備え、
前記出湯温度制御手段は、前記「有効燃焼範囲切替処理」により前記有効燃焼範囲を所定段階とし、前記「ガス供給量調整処理」により燃料ガスの総供給量を所定値として、前記ガス供給遮断手段によりガスバーナの燃焼と消火とを交互に切替えると共に、前記温度センサの検出温度が目標温度に応じた所定温度範囲内となるように所定制御周期に於けるガスバーナの燃焼時間と消火時間との比を変更する「バーナＯＮ／ＯＦＦ制御」を実行し、
前記「有効燃焼範囲切替処理」により前記有効燃焼範囲を第１の所定段階とし、前記「ガス供給量調整処理」により前記ガスバーナへの燃料ガスの総供給量を第１の所定値として、前記「バーナＯＮ／ＯＦＦ制御」を実行したときに、前記所定制御周期に対する燃焼時間の割合を予め設定された最大の割合としても前記温度センサの検出温度が前記所定温度範囲の下限よりも低くなるときには、前記「有効燃焼範囲切替処理」により前記有効燃焼範囲を１段階大きい第２の所定段階とし、前記「ガス供給量調整処理」により前記ガスバーナへの燃料ガスの総供給量を第２の所定値として、前記「バーナＯＮ／ＯＦＦ制御」を実行し、前記所定制御周期に対する燃焼時間の割合を予め設定された最大の割合としても前記温度センサの検出温度が前記所定温度範囲の下限よりも低くなるときには、前記「ガス供給量調整処理」により前記ガスバーナへの燃料ガスの総供給量を増加させる』ことである。
このものでは、前記第１の所定段階での有効燃焼範囲における前記「バーナＯＮ／ＯＦＦ制御」により、前記所定制御周期に対する燃焼時間の割合が予め設定された最大の割合としても尚前記温度センサの検出温度が前記所定温度範囲の下限よりも低くなるときには、前記「有効燃焼範囲切替処理」により前記有効燃焼範囲を１段階大きい第２の所定段階とし、前記「ガス供給量調整処理」により前記ガスバーナへの燃料ガスの総供給量を第２の所定値として前記「バーナＯＮ／ＯＦＦ制御」を行い、前記所定制御周期に対する燃焼時間の割合を予め設定された最大の割合としても前記温度センサの検出温度が所定温度範囲の下限よりも低くなるときには、前記「ガス供給量調整処理」により前記ガスバーナへの燃料ガスの総供給量を増加させる。
【００１７】
これにより、前記ガスバーナの燃焼量を増加させるときに、前記有効燃焼範囲を極力大きくすることができ、請求項１に係る発明の作用と同様、消火状態のバーナユニットに供給される燃焼用空気でガスバーナの燃焼排気が冷却されることがなく、熱効率が低下することがない。そのため、前記熱交換器に於ける熱効率を高めてガスバーナを燃焼させることができる。従って、床暖房システム全体の熱効率が更に向上する。又、既存の熱源機のハード構成を変更する必要がなく、出湯温度制御手段による制御内容を変更すればよいため、製造コストを抑えることができる。
【００１８】
又、請求項１に係る発明の作用で説明したように、床暖房マットに供給する温水の温度を低くしても、既述従来の熱出力のものと同等の暖房が行なえるので、床暖房システム全体の熱効率が高くなる。
【発明の効果】
【００１９】
本発明は次の特有の効果を有する。
本発明によれば、ガスバーナの燃焼排気の露点より低温の温水が床暖房マットから熱源機へ帰還するように、低温水を熱源機で加熱生成しても、既述従来の熱出力のものと同等の暖房が行える。又、床暖房マットの熱出力が高く、該床暖房マットからの放熱量が多いから、床暖房マットから熱源機への帰還水の温度を露点以下に確実に抑えることができる。これにより、ガスバーナの燃焼排気から潜熱を回収する高効率の運転を継続させることができる。これらのことから、本発明によれば、熱出力の高い床暖房マットを利用することにより、熱源機での潜熱回収量を増加させることができ、これにより、床暖房システム全体の熱効率の向上を図ることができる。
【００２０】
また、熱源機に設けられた熱交換器の熱効率を高めて温水を循環させることができる。従って、床暖房システム全体の熱効率が一層向上する。又、既述したように、既存の熱源機のハード構成を変更する必要がなく、出湯温度制御手段による制御内容を変更すればよいため、製造コストを抑えることができる。
【発明を実施するための最良の形態】
【００２１】
以下に、本発明を実施するための最良の形態について添付図面を参照しながら説明する。
図１は、本発明の実施の形態に係る床暖房システムを示す模式図である。
このものでは、潜熱回収型の熱源機(2)と、床暖房マット(3)と、熱源機(2)の温水出口(25)と床暖房マット(3)の流入口(30)を接続する往き管(40)と、熱源機(2)の温水入口(26)と床暖房マット(3)の流出口(31)を接続する戻り管(41)とを具備している。また、熱源機(2)には、前記戻り管(41)から熱交換器(22)を通過して往き管(40)に繋がる被加熱用通水管(42)が設けられており、被加熱用通水管(42)、往き管(40)、戻り管(41)、及び、床暖房マット(3)の放熱用通水管(32)によって、温水循環路(4)が構成されている。又、温水循環路(4)に於ける温水出口(25)の上流側隣接部には、暖房用開閉弁(27)が設けられている。以下、各部の詳細を説明する。
【００２２】
［熱源機(2)］
熱源機(2)には、大／小の２つの燃焼面を形成するバーナユニット(21a)(21b)からなるガスバーナ(21)と、ガスバーナ(21)により加熱される熱交換器(22)と、ガスバーナ(21)に燃焼用空気を一括して供給するファン(23)と、ファン(23)により燃焼用空気を取り入れると共にガスバーナ(21)からの燃焼排気を排出するための給排気管(24)とが設けられている。
【００２３】
熱交換器(22)は、ガスバーナ(21)の燃焼排気から顕熱を回収する主熱交換器(22a)と前記燃焼排気を露点以下に冷却することで潜熱を回収する副熱交換器(22b)から構成されており、被加熱用通水管(42)内の温水は副熱交換器(22b)から主熱交換器(22a)に流れ、その後、温水循環路(4)を経由して床暖房マット(3)に供給されるようになっている。
【００２４】
温水循環路(4)には、熱交換器(22)で加熱された温水を床暖房マット(3)に送出すると共に、床暖房マット(3)で放熱した温水を熱交換器(22)に戻す循環ポンプ(4a)が設けられている。又、温水循環路(4)には、熱源機(2)から床暖房マット(3)へ温水が送出される側に温水の温度を検出する温度センサ(4b)が設けられている。
【００２５】
燃料ガスはガス分岐路(61a)(61b)を介してガス供給路(61)からバーナユニット(21a)(21b)に供給される。ガス分岐路(61a)(61b)には、バーナユニット(21a)(21b)への燃料ガスの供給及び遮断を個別に切替えるバーナユニット切替手段としての電磁弁(62a)(62b)が設けられている。又、ガス供給路(61)には、ガスバーナ(21)への燃料ガスの総供給量を調整するガス量調整手段としての比例弁(7)、及びガスバーナ(21)への燃料ガスの供給及び遮断を切替えるガス供給遮断手段としての元電磁弁(61c)が設けられている。
【００２６】
制御装置(5)は、循環ポンプ(4a)、ガスバーナ(21)、電磁弁(62a)(62b)、元電磁弁(61c)、比例弁(7)、及び、ファン(23)の作動を制御する。制御装置(5)は、比例弁(7)によりガスバーナ(21)への燃料ガスの総供給量を調整する「ガス供給量調整処理」を実行し、又、元電磁弁(61c)を開閉させることによりガスバーナ(21)の燃焼と消火とを切替えると共に温度センサ(4b)の検出温度が目標温度（床暖房マット(3)で要求される温水温度たる４０℃）に応じた所定温度範囲内（４０℃±１２℃）となるように所定制御周期に於けるガスバーナ(21)の燃焼時間と消火時間との比を変更する「バーナＯＮ／ＯＦＦ制御」を実行する。
【００２７】
尚、熱源機(2)で加熱生成される温水の温度が前記４０℃であれば、床暖房マット(3)から熱源機(2)へ帰還する温水の温度は２５℃〜３５℃の範囲になり、ガスバーナ(21)で生じる燃焼排気の露点以下になる。
尚、前記所定温度範囲内としては、前記「４０℃±１２℃」の範囲に限らず、実質的に目標温度（４０℃）と等しい温度に設定してもよい。
【００２８】
制御装置(5)は、電磁弁(62a)(62b)を開閉することにより、実際に燃焼を生じさせるガスバーナ(21)の燃焼面の範囲である有効燃焼範囲を大・中・小の３段階に切替える「有効燃焼範囲切替処理」を実行する。
【００２９】
即ち、電磁弁(62a)(62b)を開いてバーナユニット(21a)(21b)に燃焼ガスを供給することにより有効燃焼範囲が大の段階となり、電磁弁(62b)を閉じて小バーナユニット(21b)への燃料ガスを遮断し電磁弁(62a)を開いて大バーナユニット(21a)にのみ燃料ガスを供給することにより有効燃焼範囲が中の段階となり、電磁弁(62a)を閉じて大バーナユニット(21a)への燃料ガスを遮断し電磁弁(62b)を開いて小バーナユニット(21b)にのみ燃料ガスを供給することにより有効燃焼範囲が小の段階となる。
【００３０】
［床暖房マット(3)］
図３は床暖房マット(3)の要部の断面図であり、図２は床暖房マット(3)の表面の放熱シート(35)を除去した状態の概略平面図である。
床暖房マット(3)は、断熱マットとしての薄板状の発泡樹脂成形体(33)と、当該発泡樹脂成形体(33)の表側に埋設された放熱用通水管(32)と、前記発泡樹脂成形体(33)の表側の表面に貼設された熱拡散用の放熱シート(35)から成り、かつ、前記放熱用通水管(32)によって温水の循環路が複数組構成された、概ね３０３ｍｍピッチで床暖房マット(3)を固定する根太状の部材(37)を有している。前記部材(37)を隔てて隣接する放熱用通水管(32)(32)の配管ピッチを５５ｍｍ以上９０ｍｍ以下、それ以外の配管ピッチを３０ｍｍ以上５５ｍｍ未満とした配列ピッチで、前記放熱用通水管(32)が平行に複数配列されている。
【００３１】
床暖房マット(3)の構成を詳述すると、断熱マットとしての発泡樹脂成形体(33)の表側の表面には多数の配管溝(34)が形成されており、該配管溝(34)には、断面がＵ字状に形成され且つ上端縁に外向きの鍔(360)(360)が張り出した伝熱部材(36)の前記Ｕ字状部分(361)が嵌め込まれている。そして、前記伝熱部材(36)の配設域を含めた発泡樹脂成形体(33)の表面には熱拡散用の放熱シート(35)（図２では省略している）が貼設されている。そして、放熱用通水管(32)の一部は伝熱部材(36)の前記Ｕ字状部分(361)に嵌入されている。これにより、放熱用通水管(32)の一部は、伝熱部材(36)の上から配管溝(34)内に嵌入された状態になっている。
【００３２】
尚、伝熱部材(36)の配設領域以外では、放熱用通水管(32)は、図４に示すように、発泡樹脂成形体(33)の表側の表面に形成された補助配管溝(39)内に嵌入されていると共に、該補助配管溝(39)は、樋状の伝熱部材(36)を埋設する前記配管溝(34)の端部から連続的に延長している。又、放熱用通水管(32)の内径は４ｍｍ以上７ｍｍ以下に設定されていると共に、該放熱用通水管(32)は概ね３０３ｍｍピッチに６本もしくは８本、平行に配設されている。尚、放熱用通水管(32)(32)は、根太状の部材(37)(37)と平行に、「３００ｍｍ〜３０５ｍｍ」当り「６本〜８本」配設するのが望ましい。そして、この場合は、放熱用通水管(32)(32)の配設ピッチは、３７．５ｍｍ〜約５０．８ｍｍの範囲になる。
【００３３】
発泡樹脂成形体(33)の表側の表面全体には放熱シート(35)が貼設されており、伝熱部材(36)の鍔(360)は発泡樹脂成形体(33)の表面と放熱シート(35)の裏面の間に介在されている。これにより、放熱用通水管(32)の熱は、伝熱部材(36)のＵ字状部分(361)→伝熱部材(36)の鍔(360)→発泡樹脂成形体(33)の表面の放熱シート(35)の経路で伝達され、これにより、床暖房マット(3)の表面全体から熱拡散するようになっている。尚、本実施の形態では、放熱シート(35)は、３０μｍから１００μｍの厚みを有するアルミシートによって構成されている。
【００３４】
床暖房マット(3)の発泡樹脂成形体(33)には、概ね３０３ｍｍピッチで表裏に貫通する平行スリット(38)(38)が形成されていると共に、該平行スリット(38)(38)には発泡樹脂成形体(33)と同一厚みの根太状の部材(37)(37)が嵌入されている。又、根太状の部材(37)を隔てて平行姿勢で隣接する放熱用通水管(32)(32)の配管ピッチＸ１は、既述したように、５５ｍｍ以上９０ｍｍ以下に設定されており、それ以外の領域での放熱用通水管(32)(32)の配管ピッチＸ２は、既述したように、３０ｍｍ以上５５ｍｍ未満に設定されている。
【００３５】
各放熱用通水管(32)の両端は、熱源機(2)側から引き出された接続配管としての往き管(40)と戻り管(41)が接続される流入口(30)及び流出口(31)を具備する流体分岐ブロック(45)に接続されている。これにより、熱源器(2)から往き管(40)を経て供給される温水は、流体分岐ブロック(45)に平行に接続された放熱用通水管(32)(32)（並列配管されている）内を流れ、再び流体分岐ブロック(45)に帰還した後に戻り管(41)に戻されるようになっている。
このように構成された床暖房マット(3)では、下記の試験条件にて、放熱用通水管(32)に４０℃の温水を流すと７０Ｗ／ｍ2の上面放熱量を放散することが確認できた。
【００３６】
〈試験条件〉（図５参照）
厚さ５０ｍｍの発泡ポリスチレン製の断熱材(a)の上面に厚さ１２ｍｍ、平面寸法９０９ｍｍ×９０９ｍｍの合板(b)（ＪＩＳ普通合板１類２等Ｆ☆☆☆☆）を床下地材に見立てて土間上１００ｍｍの高さに配置し、その上面に試験体である床暖房マット(3)を配置し、更に、床暖房マット(3)の上面に前記合板(b)と同様の合板(c)を床仕上材に見立てて配置すると共に、床暖房マット(3)の下面及び最上段の合板(c)の上面に夫々シート状の熱流計（平面寸法：３１０ｍｍ×３１０ｍｍ、英弘精機株式会社製の商品名「熱流計ＭＦ−１６０」）を設置する。次いで、室温を２０℃に設定した後、床暖房マット(3)の放熱用通水管(32)に温水を０．５／ｍｉｎの流量で循環させる。そして、床暖房マット(3)の上面方向および下面方向に放出される熱量を上記の熱流計で測定する。
【００３７】
［床暖房リモコン］
図１に示すように、床暖房マット(3)が敷設された室内に設けられる床暖房リモコン(1)には、運転スイッチ(10)と、暖房設定温度等を表示する表示画面(11)と、暖房レベル設定ボタン(12)と、更に、室温センサ(13)が設けられている。
【００３８】
床暖房リモコン(1)には、図１０に示す「温度変換テーブル」を格納したメモリが備えられており、暖房レベル設定ボタン(12)を繰り返して操作すると、暖房設定レベルＧが１〜４の範囲で順次切り替わるようになっている。そして、図１０の温度変換テーブルに示すように、各暖房設定レベルＧ（１〜４）には、これと同欄に記載した設定温度ＴＳ（１６℃〜２８℃）が各別に対応付けられている。
【００３９】
又、床暖房リモコン(1)に備えられたメモリには、図１１に示す「制御ランクテーブル」が格納されている。この制御ランクテーブルは、図１０の「温度変換テーブル」から求められる設定温度ＴＳと、床暖房リモコン(1)に設けられた室温センサ(13)が検出する室温ＴＲの差である温度差ΔＴの大きさと制御ランクＮの大きさ「−１〜３」を対応付けるものである。
【００４０】
［動作説明］
次に、上記実施の形態に係る床暖房システムの動作を、熱源機(2)と床暖房マット(3)の動作を説明しながら詳述する。
【００４１】
《熱源機(2)の動作》
先ず、床暖房マット(3)に４０℃（目標温度）の低温水を供給する為の熱源機(2)の動作を、ガスバーナ(21)の燃焼量を減少させる場合と、増加させる場合とに分けて説明する。
ガスバーナ(21)の燃焼量は、図７の実線で示すグラフに従って増減するように制御される。Ｌ１〜Ｌ２の範囲では、ガスバーナ(21)の有効燃焼範囲が大の段階に維持された状態で燃焼量が続的に変化され、Ｌ２〜Ｌ３の範囲では、前記有効燃焼範囲が大の段階に維持された状態で「バーナＯＮ／ＯＦＦ制御」が実行され、Ｌ３〜Ｍ２の範囲では、前記有効燃焼範囲が中の段階に維持された状態で「バーナＯＮ／ＯＦＦ制御」が実行され、更に、Ｍ２〜Ｓ２の範囲では、前記有効燃焼範囲が小の段階に維持された状態で「バーナＯＮ／ＯＦＦ制御」が実行される。
【００４２】
以下、熱源機(2)の燃焼動作を具体的に説明する。
＊ガスバーナ(21)の燃焼量を減少させる場合
図６に、ガスバーナ(21)の燃焼量を減少させる場合の制御装置(5)による処理のフローチャートを示す。
床暖房リモコン(1)の運転スイッチ(10)が操作されて暖房運転が開始されると、制御装置(5)は、まず、ステップ(ST1)で「有効燃焼範囲切替処理」により電磁弁(62a)(62b)を開いてガスバーナ(21)の有効燃焼範囲を大の段階とし、「ガス供給量調整処理」により、温度センサ(4b)の検出温度が目標温度（本実施の形態では、４０℃）を超える度に、比例弁(7)を制御してガスバーナ(21)への燃料ガスの総供給量を減らす。これにより、図７に示すように、Ｌ１からＬ２へとガスバーナ(21)の燃焼量（ｋｃａｌ／ｈ）を減少させていく。
【００４３】
ステップ(ST2)でガスバーナ(21)への燃料ガスの総供給量を予め設定された大の段階に於ける燃焼量Ｌ２に対応した最小値としても温度センサ(4b)の検出温度が目標温度を超えてしまう場合は、ステップ(ST3)へ移り、ガスバーナ(21)への燃料ガスの総供給量を維持したまま元電磁弁(61c)を開閉させて大の段階による所定制御周期での燃焼時間と消火時間との比を切替える「バーナＯＮ／ＯＦＦ制御」を実行する。この「バーナＯＮ／ＯＦＦ制御」は、温度センサ(4b)の検出温度が前記所定温度範囲（本実施の形態では、４０℃±１２℃）の上限を超える度に燃焼時間を徐々に少なくして図７に示すようにＬ２からＬ３のようにガスバーナ(21)の単位時間あたりの燃焼量を減少させていく。ここで、前記最小値は、大の段階に於ける「ガス供給量調整処理」による調整範囲Ａ内で熱交換器(22)の熱効率が最も高くなる燃焼量Ｌ２に対応する燃料ガスの総供給量に設定されている。これにより、「バーナＯＮ／ＯＦＦ制御」を実行してＬ２からＬ３まで燃焼量を減少させるときの熱交換器(22)の熱効率をより高めることができる。
【００４４】
そして、ステップ(ST4)において所定制御周期に対する燃焼時間の割合を予め設定された最小の割合としても温度センサ(4b)の検出温度が前記所定温度範囲の上限を超えてしまう場合は、ステップ(ST5)に移り、「有効燃焼範囲切替処理」により、電磁弁(62b)を閉じて小バーナユニット(21b)への燃料ガスを遮断してガスバーナ(21)の有効燃焼範囲を大の段階から中の段階へ切替える。そして、ガスバーナ(21)への燃料ガスの総供給量を、中の段階に於ける「ガス供給量調整処理」による調整範囲Ｂ内で熱交換器(22)の熱効率が最も高くなる燃焼量Ｍ２’に対応する燃料ガスの総供給量に設定し、図７に示すように、ガスバーナ(21)の単位時間あたりの燃焼量がＭ１からＭ２になるまで「バーナＯＮ／ＯＦＦ制御」を実行する。
【００４５】
ここで、ステップ(ST4)に於ける最小の割合は、大の段階での「バーナＯＮ／ＯＦＦ制御」の実行中に於ける熱交換器(22)の熱効率が、中の段階での「バーナＯＮ／ＯＦＦ制御」の実行中に於ける熱交換器(22)の熱効率よりも下回るときの燃焼量を予め実験により測定し、その燃焼量に対応する燃焼時間に基づいて設定される。換言すれば、大の段階での「バーナＯＮ／ＯＦＦ制御」の実行中に於ける熱交換器(22)の熱効率との高低関係が切り替わるところで、ガスバーナ(21)の有効燃焼範囲を大の段階から中の段階へ切替えるように前記最小の割合が設定される。最小の割合をこのように設定することにより、熱交換器(22)の熱効率をより向上させることができる。
【００４６】
ステップ(ST6)で所定制御周期に対する燃焼時間の割合を予め設定された最小の割合としても温度センサ(4b)の検出温度が前記所定温度範囲の上限を超えてしまう場合には、ステップ(ST7)で「有効燃焼範囲切替処理」を実行し、電磁弁(62b)を開いて小バーナユニット(21b)への燃料ガスの供給を再開し、電磁弁(62a)を閉めて大バーナユニット(21a)への燃料ガスを遮断することにより、ガスバーナ(21)を中の段階から小の段階へ切替える。そして、ガスバーナ(21)への燃料ガスの総供給量を、小の段階に於ける「ガス供給量調整処理」による調整範囲Ｃ内で熱交換器(22)の熱効率が最も高くなる燃焼量Ｓ２’に対応する燃料ガスの総供給量に設定し、図７に示すＳ１からＳ２までの「バーナＯＮ／ＯＦＦ制御」を実行する。
【００４７】
ここで、ステップ(ST6)に於ける最小の割合は、中の段階での「バーナＯＮ／ＯＦＦ制御」の実行中に於ける熱交換器(22)の熱効率が、小の段階での「バーナＯＮ／ＯＦＦ制御」の実行中に於ける熱交換器(22)の熱効率よりも下回るときの燃焼量を予め実験により測定し、その燃焼量に対応する燃焼時間に基づいて設定される。最小の割合をこのように設定することにより、熱交換器(22)の熱効率をより向上させることができる。又、ステップ(ST7)に於ける小の段階での「バーナＯＮ／ＯＦＦ制御」で、所定制御周期に対する燃焼時間の割合が最小の割合となると、即ち、該所定制御周期に対する燃焼時間の割合が０％となると、ガスバーナ(21)の燃焼は停止する。
【００４８】
＊ガスバーナ(21)の燃焼量を増加させる場合
次いで、図８を参照して、ガスバーナ(21)の燃焼量を増加させる場合の制御装置(5)による処理を説明する。
【００４９】
暖房運転が開始されると、制御装置(5)は、まずステップ(ST11)で、「有効燃焼範囲切替処理」により電磁弁(62b)を開いて小バーナユニット(21b)に燃料ガスを供給し電磁弁(62a)を閉じて大バーナユニット(21a)への燃料ガスを遮断してガスバーナ(21)の有効燃焼範囲を小の段階にする。そして、燃料ガスの総供給量を、小の段階に於ける「ガス供給量調整処理」による調整範囲Ｃ内で熱交換器(22)の熱効率が最も高くなる燃焼量Ｓ２’に対応する燃料ガスの総供給量（所定値）に設定すると共に、図７に示すように、ガスバーナ(21)の単位時間あたりの燃焼量がＳ２からＳ１になるまで「バーナＯＮ／ＯＦＦ制御」を実行する。換言すれば、温度センサ(4b)の検出温度が前記所定温度範囲の下限よりも低下する度に所定制御周期に対する燃焼時間の割合を大きくし（消火時間の割合を小さくし）ガスバーナ(21)の単位時間あたりの燃焼量を増加させていく。
【００５０】
ステップ(ST12)で前記燃焼時間の割合を予め設定された最大の割合としても温度センサ(4b)の検出温度が前記所定温度範囲の下限よりも低くなる場合には、ステップ(ST13)で「有効燃焼範囲切替処理」を実行し、電磁弁(62a)を開いて大バーナユニット(21a)へ燃料ガスを供給し、電磁弁(62b)を閉じて小バーナユニット(21b)への燃料ガスを遮断して、ガスバーナ(21)の有効燃焼範囲を中の段階（第１の所定段階）にする。そして、ガスバーナ(21)への燃料ガスの総供給量を、中の段階に於ける「ガス供給量調整処理」による調整範囲Ｂ内で熱交換器(22)の熱効率が最も高くなる燃焼量Ｍ２’に対応する総供給量（第１の所定値）に設定すると共に、図７に示すように、ガスバーナ(21)の単位時間あたりの燃焼量がＭ２からＭ１になるまで「バーナＯＮ／ＯＦＦ制御」を実行する。
【００５１】
ここで、ステップ(ST12)に於ける最大割合は、小の段階での「バーナＯＮ／ＯＦＦ制御」に於ける熱交換器(22)の熱効率が、中の段階での「バーナＯＮ／ＯＦＦ制御」に於ける熱交換器(22)の熱効率を上回るときの燃焼量をあらかじめ実験により測定し、その燃焼量に対応する燃焼時間に基づいて設定される。最大の割合をこのように設定することにより、熱交換器(22)の熱効率をより向上させることができる。
【００５２】
ステップ(ST14)で前記燃焼時間の割合を予め設定された最大の割合としても温度センサ(4b)の検出温度が前記所定温度範囲の下限よりも低くなる場合には、ステップ(ST15)で電磁弁(62b)を開いて小バーナユニット(21b)への燃料ガスの供給を再開し、ガスバーナ(21)の有効燃焼範囲を大の段階（第２の所定段階）にする。そして、ガスバーナ(21)への燃料ガスの総供給量を、大の段階に於ける「ガス供給量調整処理」による調整範囲Ａ内で熱交換器(22)の熱効率が最も高くなる燃焼量Ｌ２に対応する総供給量（第２の所定値）に設定すると共に、図７に示すように、ガスバーナ(21)の単位時間あたりの燃焼量がＬ３からＬ２になるまで「バーナＯＮ／ＯＦＦ制御」を実行する。
【００５３】
ここで、ステップ(ST14)に於ける最大の割合は、中の段階での「バーナＯＮ／ＯＦＦ制御」に於ける熱交換器(22)の熱効率が、大の段階での「バーナＯＮ／ＯＦＦ制御」に於ける熱交換器(22)の熱効率を上回るときの燃焼量を予め実験により測定し、その燃料量に対応する燃焼時間に基づいて設定される。最大の割合をこのように設定することにより、熱交換器(22)の熱効率をより向上させることができる。
【００５４】
そして、ステップ(ST16)において前記燃焼時間の割合を予め設定された最大の割合としても温度センサ(4b)の検出温度が前記所定温度範囲の下限よりも低くなる場合には、ステップ(ST17)でガスバーナ(21)の大の段階による「ガス供給量調整処理」を実行し、温度センサ(4b)の検出温度が目標温度を下回る度に、比例弁(7)を制御してガスバーナ(21)への燃料ガスの総供給量を増加させる。これにより、図７に示すように、ガスバーナ(21)の燃焼量がＬ２からＬ１へと増加する。ここで、ステップ(ST16)に於ける最大の割合は、例えば、１００％に設定される。
上記のガスバーナ(21)の燃焼量を減少させる場合と、増加させる場合の動作をまとめると、次のようになる。
【００５５】
熱源機(2)では、制御装置(5)の「ガス供給量調整処理」により、ガスバーナ(21)へのガス供給量を最小としても尚温度センサ(4b)の検出温度が目標温度を超えるときに、直ちに「有効燃焼面積切替処理」により１段階小さくするのではなく、「バーナＯＮ／ＯＦＦ制御」を行なう。又、「バーナＯＮ／ＯＦＦ制御」により前記燃焼時間の割合が予め設定された最大の割合としても尚温度センサ(4b)の検出温度が目標温度を下回るときには、「有効燃焼面切替処理」により１段階大きくすると共に、「ガス供給量調整処理」によりガスバーナ(21)への燃料ガスの総供給量を予め設定された最小の割合として「バーナＯＮ／ＯＦＦ制御」を行い、燃焼時間の割合を予め設定された最大の割合としても前記所定温度範囲の下限よりも低くなる場合には、「ガス供給量調整処理」を行いガスバーナ(21)への燃料ガスの総供給量を増加させる。
【００５６】
これにより、極力、有効燃焼範囲を大きくしてガスバーナ(21)を燃焼させることができるため、消火状態にあるバーナユニット(21a)(21b)に供給される燃焼用空気によりガスバーナ(21)で燃焼した燃焼排気が冷却されることを抑制することができる。このため、図７に示すように、熱交換器(22)に於ける熱効率を高めてガスバーナ(21)を燃焼させることができる。又、既存の熱源機(2)のハード構成を変更する必要がなく、制御装置(5)（出湯温度制御手段）による制御内容を変更すればよいため、製造コストを抑えることができる。
【００５７】
尚、本実施の形態では、例えば、図６のステップ(ST3)からステップ(ST5)のように大の段階の有効燃焼範囲による「バーナＯＮ／ＯＦＦ制御」から直ちに中の段階の有効燃焼範囲による「バーナＯＮ／ＯＦＦ制御」を実行しているが、大の段階の有効燃焼範囲による「バーナＯＮ／ＯＦＦ制御」の次に、中の段階の有効燃焼範囲による「ガス供給量調整処理」を実行してガスバーナ(21)の燃焼量を減少させていき、その後、中の段階の有効燃焼範囲による「バーナＯＮ／ＯＦＦ制御」を実行するようにしてもよい。
【００５８】
又、本実施の形態では、制御装置(5)は、図６及び図８に示すように、燃焼量を減少させる場合と燃焼量を増加させる場合とのいずれの動作においても「バーナＯＮ／ＯＦＦ制御」を行なうものについて説明したが、制御装置(5)は、燃焼量を減少させる場合と燃焼量を増加させる場合とのいずれか一方の動作を、「バーナＯＮ／ＯＦＦ制御」制御を行なわず、「ガス供給量調整処理」と「有効燃焼範囲切替処理」だけ動作させる場合であっても、本発明の効果を得ることができる。
【００５９】
《床暖房マット(3)の動作》
次に、図９を参照して、床暖房マット(3)の動作を説明する。
前記熱源機(2)が４０℃の低温水を供給する動作を実行しているときに、先ず、ステップ(ST20)で、暖房用開閉弁(27)を３０分連続開弁し、これにより、床暖房マット(3)に温水を継続供給する。
【００６０】
次に、床暖房リモコン(1)の暖房レベル設定ボタン(12)で設定された暖房設定レベルＧ（１〜４）をステップ(ST21)で読み込んで、これに対応する設定温度ＴＳ（１６℃〜２８℃）を、図１０の温度変換テーブルから選択する。
ステップ(ST22)で、室温センサ(13)の検知する室温ＴＲを読み込むと共に、温度差ΔＴ＝（ＴＲ−ＴＳ）を演算する。
【００６１】
ステップ(ST23)で、図１１の「制御ランクテーブル」を利用し、前記温度差ΔＴに対応する制御ランクＮを選択する。具体的には、図１１に示すように、１．４℃＜ΔＴの場合は、制御ランクＮとして「３」を選択し、０．６℃＜ΔＴ≦１．４℃の場合は、制御ランクＮとして「２」を選択する。
【００６２】
次に、ステップ(ST24)において、熱源機(2)から床暖房マット(3)に対して所定制御周期に於ける床暖房マット(3)への温水供給時間と温水停止時間（暖房用開閉弁(27)のＯＮ／ＯＦＦ時間）との比を設定する。具体的には、図１１の「制御ランクテーブル」から選択した制御ランクＮ（−１〜３）を利用し、該制御ランクＮ（−１〜３）に対応する通水時間Ｔonを図１２の「通水時間テーブル」から選択する。具体的には、制御ランクＮが「３」の場合は通水時間Ｔonとして「５分」を選択し、制御ランクＮが「２」の場合は通水時間Ｔonとして「９分」を選択する。
【００６３】
その後、ステップ(ST25)で、暖房用開閉弁(27)を制御することにより、熱源機(2)から床暖房マット(3)に温水を通水時間Ｔonだけ供給すると共に、「２０分―Ｔon」だけ温水供給を停止する「暖房用開閉弁(27)のＯＮ／ＯＦＦ制御」を実行し、その後、制御をステップ(ST21)に戻す。
【００６４】
このものでは、床暖房マット(3)を構成する発泡樹脂成形体(33)の配管溝(34)には伝熱部材(36)のＵ字状部分(361)が嵌入されていると共に、Ｕ字状部分(361)の両端から外向きに屈曲する一対の鍔(360)(360)部は発泡樹脂成形体(33)の表面に重なっている。又、前記Ｕ字状部分(361)には放熱用通水管(32)が挿入されている。そして、伝熱部材(36)及び放熱用通水管(32)の配設域を含む発泡樹脂成形体(33)の表面には熱拡散用の放熱シート(35)が貼設されている。従って、放熱用通水管(32)からの熱は、伝熱部材(36)のＵ字状部分(361)からその両端の鍔(360)(360)部を経て、その上に重なる熱拡散用の放熱シート(35)に伝達され、該放熱シート(35)から、これに重ねられる床材に熱拡散される。これにより、放熱用通水管(32)から多くの熱を床材側に取り出すことができ、床暖房マット(3)を高い熱出力の状態にすることができる。従って、低温の温水を潜熱回収型の熱源機(2)から供給しても、十分な暖房が行える。即ち、ガスバーナ(21)の燃焼排気の露点より低温の温水が床暖房マット(3)から熱源機(2)へ帰還するように、低温水を熱源機(2)で加熱生成しても、既述従来の熱出力のものと同等の暖房が行えるのである。
【００６５】
又、床暖房マット(3)の熱出力が高く、床暖房マット(3)からの放熱量が多いから、床暖房マット(3)から熱源機(2)への帰還水の温度を露点以下に確実に抑えることができる。これにより、ガスバーナ(21)の燃焼排気から潜熱を回収する高効率の運転を継続させることができる。
【００６６】
従って、本発明によれば、熱出力の高い床暖房マット(3)を利用することにより、熱源機(2)での潜熱回収量を増加させることができ、これにより、床暖房システム全体の熱効率の向上を図ることができる。
【００６７】
又、上記実施の形態では、図９のステップ(ST20)に於いて、循環ポンプ(4a)を３０分の連続運転としたが、床暖房リモコン(1)によって、連続運転時間を３５分〜５０分の範囲に設定できるようにしてもよい。
【図面の簡単な説明】
【００６８】
【図１】本発明の実施の形態に係る床暖房システムの概略図
【図２】放熱シート(35)を省略した状態の床暖房マット(3)の平面図
【図３】床暖房マット(3)の要部の断面図
【図４】床暖房マット(3)に於ける補助配管溝(39)部分の断面図
【図５】床暖房マット(3)の性能実験の説明図
【図６】ガスバーナ(21)の燃焼量を減少させる場合の制御装置(5)による処理のフローチャート
【図７】熱源機(2)の燃焼量と熱効率の関係を示すグラフ
【図８】ガスバーナ(21)の燃焼量を増加させる場合の制御装置(5)による処理のフローチャート
【図９】床暖房マット(3)へ温水を供給する動作と停止する動作の説明図
【図１０】温度変換テーブルの説明図
【図１１】制御ランクテーブルの説明図
【図１２】通水時間テーブルの説明図
【符号の説明】
【００６９】
(2)・・・熱源機
(3)・・・床暖房マット
(4)・・・温水循環路
(4a)・・・循環ポンプ
(4b)・・・温度センサ
(21)・・・ガスバーナ
(21a)(21b)・・・バーナユニット
(22)・・・熱交換器
(23)・・・ファン
(32)・・・放熱用通水管
(34)・・・配管溝
(35)・・・放熱シート
(42)・・・被加熱用通水管
【図１】
0005270131.tif 000002
【図２】
0005270131.tif 000003
【図３】
0005270131.tif 000004
【図４】
0005270131.tif 000005
【図５】
0005270131.tif 000006
【図６】
0005270131.tif 000007
【図７】
0005270131.tif 000008
【図８】
0005270131.tif 000009
【図９】
0005270131.tif 000010
【図１０】
0005270131.tif 000011
【図１１】
0005270131.tif 000012
【図１２】
0005270131.tif 000013